(57)【要約】      （修正有）【課題】製造が容易で、通気バルブの開口圧力を特定可能とした乳児および幼児用の瓶乳首を提供する。【解決手段】瓶乳首１．１は、最大径部３から上に向かって乳頭スリーブ２を有し、上部にて、乳頭スリーブ２は、乳頭首部５および乳頭頭部６を有する乳頭４を備え、一方の側において、乳頭頭部は、瓶乳首１．１の中心軸８に対しある角度の通気口を備える。反対側に、飲用口１０を有し、下部において、乳頭スリーブ２は縮径部１１を有する。縮径部１１の下縁において、乳頭スリーブ２は、中心軸８を同心状に取り囲んで放射状に外側へ延伸する乳頭フランジ１２．１へ接続する。この乳頭フランジ１２．１は、実質的に平坦であるが、外周部分には下方突出凸部１３を有する。さらに、乳頭フランジ１２は、外縁に周囲縦突出縁ビード１４を有する。凸部１３の最下点において、乳頭フランジ１２．１は、下方突出リップバルブ１５を有する。【選択図】図１
2012183311.tif 000002
【特許請求の範囲】
【請求項１】
特に乳児および幼児用の瓶乳首であって、
液体栄養を通す少なくとも１つの貫通口（１０）をもつ中空乳頭（４）を有し、前記中空乳頭は、下部で中空乳頭スリーブ（２）と接続し、前記中空乳頭スリーブは、下部で実質的に円環板状の乳頭フランジ（１２）と接続し、前記乳頭フランジは、前記乳頭スリーブ（２）に接続して、固定リング（２３）により瓶（２２）の固定縁（２９）へ固定され、前記固定リングは、下側で、前記乳頭フランジ（１２）と重なる円環板状のリングフランジ（２６）を提供する、乳頭スリーブと、
前記乳頭フランジ（１２）から下方または上方へ、または、前記乳頭フランジ（１２）の上の前記乳頭スリーブ（２）から前記リングフランジ（２６）を置く領域内へ外向きに、突出する当接領域（１３，３１）と、
前記乳頭フランジ（１２）が瓶（２２）に固定されていないときに開き、前記当接領域（１３，３１）に隣接する変形領域に配置されて、前記乳頭フランジ（１２）が前記固定リング（２３）により瓶（２２）へ取り付けられるときに、前記当接領域（１３，３１）に対する前記固定リング（２３）の押圧で生じる前記乳頭フランジ（１２）および前記乳頭スリーブ（２）のいずれかまたは両方の変形によって閉じる、リップバルブ（１５）と、
を含む、瓶乳首。
【請求項２】
前記リップバルブ（１５）は、前記乳頭フランジ（１２）の外縁から離して前記乳頭フランジ（１２）内に配置される、請求項１に記載の瓶乳首。
【請求項３】
前記リップバルブ（１５）は、前記乳頭フランジ（１２）の下側から突出する、請求項１又は請求項２に記載の瓶乳首。
【請求項４】
前記当接領域（１３）は、未変形の前記乳頭フランジ（１２）の凸部であり、ここに前記リップバルブ（１５．１）が配置され、前記乳頭フランジ（１２）が前記固定リング（２３）によって瓶（２２）に取り付けられるときに、前記固定縁（２９）と前記リングフランジ（２６）との間で平坦に押圧される、請求項２又は請求項３に記載の瓶乳首。
【請求項５】
前記乳頭スリーブ（２）は、前記リップバルブ（１５）の上に、半径方向へ前記乳頭フランジ（１２）に向いた凹部（２１）を有する、請求項１〜４のいずれか１項に記載の瓶乳首。
【請求項６】
前記リップバルブ（１５）は、前記乳頭スリーブ（２）に配置され、
前記当接領域（１３）は、前記バルブ（１５．２）のリップ下の前記変形乳頭フランジ（１２）の凸部であり、前記乳頭フランジ（１２）が固定リング（２３）により瓶（２２）へ取り付けられるときに前記固定縁（２９）と前記リングフランジ（２６）との間で平坦に押圧される、請求項１に記載の瓶乳首。
【請求項７】
前記凸部（１３）が下向きである、請求項４〜６のいずれか１項に記載の瓶乳首。
【請求項８】
前記リップバルブ（１５）は、前記乳頭スリーブ（２）に配置され、
前記当接領域（３１）は、前記リップバルブに隣接する前記乳頭スリーブ（２）の外方突出ビードであり、前記ビードは、前記固定リング（２３）が瓶（２２）に前記乳頭フランジ（１２）を固定するときに前記固定リング（２３）の前記リングフランジ（２６）により占められる領域に配置される、請求項１に記載の瓶乳首。
【請求項９】
前記リップバルブ（１５．２）は、前記乳頭フランジ（１２）に対し、前記乳頭スリーブ（２）内へ放射状に延在する、請求項６〜８のいずれか１項に記載の瓶乳首。
【請求項１０】
前記乳頭スリーブ（２）は、前記乳頭フランジの上に縮径部（１１）を有する、請求項１〜９のいずれか１項に記載の瓶乳首。
【請求項１１】
前記リップバルブ（１５．２）は、前記縮径部（１１）の上で前記乳頭スリーブ（２）のより大径の領域に配置される、請求項１０に記載の瓶乳首。
【請求項１２】
前記リップバルブ（１５．２）は、前記乳頭スリーブ（２）の最大径の領域（３）に配置される、請求項１１に記載の瓶乳首。
【請求項１３】
前記飲用口（１０）を封止するプラグ（３３）を有する、請求項１〜１２のいずれか１項に記載の瓶乳首。
【請求項１４】
前記プラグ（３３）は、他の瓶乳首部分と１パーツとして且つ同じ材料で設計される、請求項１３に記載の瓶乳首。
【請求項１５】
シリコーンまたは熱可塑性エラストマー、あるいは射出成形可能なその他の樹脂により作られる、請求項１〜１４のいずれか１項に記載の瓶乳首。
【請求項１６】
射出成形される、請求項１〜１５のいずれか１項に記載の瓶乳首。
【請求項１７】
前記固定リング（２３）により瓶（２２）に取り付けられ、
前記固定リング（２３）が固定手段を有すると共に前記瓶（２２）が別の固定手段を有し、これら固定手段が互いに接続して当該瓶乳首（１）を前記瓶（２２）に固定し、
前記固定リング（２３）の前記リングフランジ（２６）が前記乳頭フランジ（１２）上の前記乳頭スリーブ（２）周囲の領域を占め、
前記乳頭フランジ（１２）は、前記瓶（２２）の前記固定縁（２９）と前記固定リング（２３）の前記リングフランジ（２６）との間にクランプされる、請求項１〜１６のいずれか１項に記載の乳頭を有する瓶乳首（１）。
【発明の詳細な説明】
【技術分野】
【０００１】
本発明は、特に、乳児および幼児用の瓶乳首に関する。
【背景技術】
【０００２】
瓶乳首は、特に乳児および幼児に、ミルクおよびその他の液体栄養を投与するために使用される。瓶乳首は液体栄養を通す貫通口を備えた中空乳頭を有する。乳頭が中空乳頭スリーブと１パーツとして下部で接続される。下部において、乳頭スリーブは環状乳頭フランジを有する。乳頭の断面は、子供の口に適合させてある。乳頭スリーブの領域において、断面は、乳頭フランジに向かって瓶の固定縁の断面まで拡張する。乳頭は、固定リングによって瓶の固定縁へ固定される。固定リングは、瓶の固定手段へ固定される固定手段を備えた円筒状カバーを有する。固定手段は、カバー内周および瓶の外側カバーにあるねじであることが多い。さらに、固定リングは、乳頭フランジと重なり且つ瓶の固定縁を押圧する、下方へ突出した円環板形状のリングフランジを有する。吸い込みに応じて、瓶内に負圧が発生して液体を吸うことを難しくする。瓶乳首は、乳頭を瓶の中へ滑り込ませる負圧でつぶれ得る。これを防止するため、瓶乳首は通気バルブを有する。通気バルブはある程度の負圧が瓶内を占めると開く。これが圧力を周囲環境に調節する。
【０００３】
特許文献１は、上記タイプの瓶乳首および瓶へのねじ込みリングによる瓶乳首の固定を開示する。この瓶乳首に備えられた通気バルブは、スリーブ側部の凹所に配置されたスロットバルブである。
【０００４】
特許文献２は、仮想多角形の側部に配置された多数の飲用スリットをもつ瓶乳首を開示する。この瓶乳首の通気バルブは、凹所に配置されたスロットバルブである。瓶乳首は、柔らかい弾性材料で形成される。一形態によれば、材料は、天然ゴム、シリコーン、または熱可塑性エラストマー（ＴＰＥ）である。瓶乳首は、例えば、ラテックス懸濁液での成形体ディッピング、あるいは、射出成形および続いて行われる刃によるスロット一体化により形成される。
【０００５】
特許文献３は、スリーブ側部凹所の通気バルブをもつ別の瓶乳首を開示する。凹所は、狭窄部と交差する凹所の基部において互いに接続する、実質的に平坦で対向する側壁を有する。スクリュードライバー、フォークなどで狭窄部が開けられると、側壁は、瓶内の液体により互いに対し押し付けられる。
【０００６】
既知の瓶スロットバルブは、追加形成ステップにおいてスロットを提供しなければならないので、形成が難しい。また、スロットにより定められる密閉リップがわずかな圧力で互いによりかかるだけなので、授乳中の子供により及ぼされる負圧より弱い負圧が加えられたときでもリップバルブが開く、という不具合もある。
【０００７】
さらに、乳頭フランジとねじ込みリングとの間に通気バルブを備えた乳頭乳首が知られている。特許文献４は、そのような瓶乳首を開示し、乳頭フランジに、ねじ込みリングのリングフランジに向かって狭まるバルブ開口を備えている。上側に、乳頭フランジは、ねじ込みリングの周囲下基部表面の溝において結合する環状台を有する。外側において、乳頭スリーブは、乳頭フランジへ延び、通気チャンネルを形成する凹所を有する。乳頭フランジの外側縁領域は、固定縁とリングフランジとの間にクランプされる。瓶内が負圧になると、乳頭フランジの内部が下方へ動くことができ、これにより台が溝の基部から離れるように移動する。したがって、圧力が、通気チャンネル、リングフランジと乳頭フランジとの間のギャップ、およびバルブ開口を通し平衡化され得る。
【０００８】
この設計は、製造を複雑にし、洗浄を難しくする。さらに、瓶乳首に作用する軸力が、瓶内の負圧形成を防ぐ通気バルブを開き得る。
同様の設計が、特許文献５により既知である。
【０００９】
乳頭フランジの下側にリップバルブを備えた乳頭乳首が、特許文献６、特許文献７、特許文献８、および特許文献９により知られている。これら瓶乳首は、射出成形法で製造される。製造上の理由で、密閉リップは、負圧で簡単に開くことができるように、初期テンション無しで互いに対し位置する。圧力は、バルブが開いたときに、乳頭フランジの上側とリングフランジの下側との間のギャップを通して平衡化される。通気バルブの側面に対し液体が位置すると互いに押し付けられて液体が出られなくなる。最後の二つの文献は、乳頭フランジの壁にリップバルブが一体化されている瓶乳首を開示する。
【先行技術文献】
【特許文献】
【００１０】
【特許文献１】ＤＥ１９７３９９１１Ｃ５
【特許文献２】ＷＯ２００９／０８７０７７Ａ１
【特許文献３】ＤＥ２９９０６８４９Ｕ１
【特許文献４】ＤＥ１０２００５００６７６８Ａ１
【特許文献５】ＵＳ２００７／０１０２３８８
【特許文献６】ＵＳ２００５／０２５２８７５Ａ１
【特許文献７】ＷＯ２００６／１０３３７９Ａ１
【特許文献８】ＤＥ２０２０４３５７Ｕ１
【特許文献９】ＵＳ２００３／０１０６８７２Ａ１
【発明の概要】
【発明が解決しようとする課題】
【００１１】
上記背景に鑑み、本発明の目的は、製造が容易で、通気バルブの開口圧力を特定可能とした瓶乳首を提供することにある。
【課題を解決するための手段】
【００１２】
上記課題は、請求項１の特徴を含む乳頭乳首によって解決される。有益な乳頭乳首の態様が従属項においてあげられている。
本発明に係る乳頭乳首は、特に乳児および幼児用であって、
液体栄養を通す少なくとも１つの貫通口をもつ中空乳頭を有し、前記中空乳頭は、下部で中空乳頭スリーブと接続し、前記中空乳頭スリーブは、下部で実質的に円環板状の乳頭フランジと接続し、前記乳頭フランジは、瓶の固定手段に固定される固定手段および前記乳頭フランジと重なる円環板状リングフランジにより、円筒状カバーをもつ固定リングによって瓶の固定縁へ固定される、乳頭スリーブと、
前記乳頭フランジから下方または上方へ、または、前記乳頭フランジの上の前記乳頭スリーブからリングフランジを置く領域内へ外向きに、突出する当接領域と、
前記乳頭フランジが固定リングにより瓶に固定されていないときに開き、前記当接領域に続く変形領域の前記乳頭フランジまたは前記乳頭スリーブに配置されて、前記乳頭フランジが前記固定リングにより瓶へ固定されるときに、前記当接領域に対する前記固定リングの押圧で生じる前記変形領域の変形によって閉じる、リップバルブと、
を有する。
【００１３】
本発明に係る瓶乳首は、乳頭フランジまたは乳頭スリーブに配置されたリップバルブを有する。瓶乳首は、リップバルブが開くように製造される。リップバルブは、瓶乳首の当接領域に続く変形領域に配置される。当接領域は、乳頭フランジから下方または上方へ、あるいは、乳頭フランジの上の乳頭スリーブから外方へ、突出する。したがって、特に瓶乳首が瓶に固定されたときに、固定リングによって変形させられる。当接領域の変形は、リップバルブが配置されている瓶乳首の周辺変形領域に波及する。変形領域の変形でリップバルブが閉じる。密閉リップ間の圧力レベルは、変形領域及びリップバルブの設計により調節可能である。これに従って所定の開口圧力を達成することができる。乳頭乳首は、乳頭乳首に作用する軸力から開口圧力が独立するように、設計され得る。開口リップバルブを備えた乳頭乳首は、射出成形により容易に製造することができる。飲用スリットが実質的に一体形成される必要はない。開口リップバルブは、使用後の瓶乳首の完全洗浄を容易にする。
【００１４】
一実施態様によれば、リップバルブは、乳頭フランジの外縁から離して乳頭フランジ内に配置される。乳頭フランジは、固定縁とリングフランジとの間の外縁に付加され得る。リップバルブは瓶の開口に臨む。周囲空気が固定リングと瓶乳首との間の隙間を通って流れ、圧力を調節する。
【００１５】
他の態様によれば、リップバルブは乳頭フランジの下側から突出する。リップバルブは瓶の開口内に入れられる。
【００１６】
他の態様によれば、当接領域は未変形の乳頭フランジにおける凸部であり、ここにリップバルブが配置され、乳頭フランジが固定リングによって瓶に取り付けられるときに、固定縁とリングフランジとの間で平坦に押圧される。瓶乳首は、凸部の領域の開口リップバルブ付きで製造される。凸部が平坦に押圧されるとき、リップバルブのリップは互いによりかかって密閉される。開口圧力は、凸部及びリップバルブの設計により調節可能である。
【００１７】
他の態様によれば、乳頭スリーブは、リップバルブの上に、乳頭フランジに向かって半径方向に延在する、凹部を有する。凹部は、乳頭フランジにリップバルブをもつ瓶乳首を単純な射出成形により作成することを容易にし、各部分を単一の見切り面と垂直に引き離すことができる。さらに、凹部は、周囲空気をリップバルブへ供給するために働き得る。
【００１８】
他の態様によれば、リップバルブは乳頭スリーブに配置され、リップバルブの下の未変形乳頭フランジに凸部の当接領域があり、乳頭フランジが固定リングにより瓶へ取り付けられるときに固定縁とリングフランジとの間で平坦に押圧される。この瓶乳首もまた、未変形乳頭フランジの凸部及び開口リップバルブ付きで製造される。しかしながら、乳頭バルブは、乳頭フランジに配置されず、むしろ、乳頭フランジの上の乳頭スリーブに配置される。乳頭フランジが固定縁とリングフランジとの間にクランプされると、凸部が平坦に押圧され、これおよびその変形でリップバルブが閉じる。リップバルブのリップ間の圧力は、凸部およびリップバルブの設計に依存し、これにより調節することができる。圧力を平衡化するため、乳頭スリーブの側部から直接リップバルブへ周囲空気が流れ得る。
【００１９】
他の態様によれば、未変形乳頭フランジの凸部は、下方へ向けられる。リップバルブが凸部の下側から突出し、リップが放射状に乳頭フランジへ向いている場合、リップは、凸部が平坦に押圧されているときに閉じる。乳頭スリーブのリップバルブが乳頭フランジに対し平行なリップをもって配置されている場合も、リップは凸部が平坦に押圧されるときに閉じる。
【００２０】
他の態様によれば、リップバルブは、乳頭スリーブに配置され、当接領域が乳頭スリーブにおける外方突出ビードである。ビードは、リップバルブに隣接し、ねじ込みリングが瓶に乳頭フランジを固定するときにねじ込みリングのリングフランジにより占められる領域に配置される。この瓶乳首もまた開口リップバルブ付きで製造される。瓶乳首が固定リングにより瓶に固定されるとき、固定リングが外方突出ビードを押圧する。これにより、リップバルブの密閉リップが閉じられる。所定の固定リングに対して、密閉リップ間の圧力および開口圧力は、ビードの設計により調節可能である。
【００２１】
乳頭スリーブにリップバルブを有する瓶乳首の態様によれば、リップバルブは、乳頭フランジに対し、乳頭スリーブにおいて放射状に配置される。この態様では、リップバルブは乳頭に配置されるので、使用中邪魔にならない。
【００２２】
他の態様によれば、乳頭スリーブは、乳頭フランジの上に縮径部を有する。縮径部は、固定リングを取り外しできないように予め瓶乳頭に取り付けておくことを可能にし、取り扱いをより容易にする。さらに、乳頭スリーブが少なくとも部分的に固定リングを覆い、子供の口およびあごに対し広く柔らかい接触領域を提供する。
【００２３】
他の態様によれば、リップバルブは、縮径部の上の、より大径の乳頭スリーブ上の領域に配置される。この位置において、固定リングによる瓶乳首の瓶への取り付けをリップバルブが損なうことはない。さらに、リップバルブが子供の口およびあごの接触領域から離れるので、圧力平衡化が制限されない。
【００２４】
好ましい態様によれば、リップバルブは、乳頭スリーブの最大径の領域に配置される。
一態様によれば、瓶乳首は、液体栄養用の貫通口又は飲用口から突出するプラグを有する。プラグは、好ましくは乳頭と１パーツとして設計される。プラグは、好ましくは乳頭と同じ材料で作られる。また、プラグは瓶乳首全体と一体的に製造されるのが好ましい。プラグを含む瓶乳首は、シリコーンまたは熱可塑エラストマー、あるいは射出成形可能なプラスチックで作られる。飲用口は、最初の使用までプラグによって確実に封止される。プラグが開封証明封止を形成し、ユーザーは、これを使用前に直接除去して飲用口を露出させることができる。さらに、射出成形で飲用口を定めるためのニードルが不要であり、特に、これが原因の金型の保守に要する労力が排除されるので、射出成形で製造が単純になる。
【００２５】
一態様によれば、プラグは小さいハンドルを有する。ハンドルは、特にプラグを乳頭からひねり取ることによって乳頭からプラグを取り除くことをより簡単にする。
【００２６】
他の態様によれば、プラグは、材料の脆弱領域を有する。プラグは、特に材料の脆弱領域に沿って分離することができる。また、材料の脆弱領域は、飲用口の内側に配置するのが好ましい。これにより、プラグを、瓶乳頭の外面下の乳頭基部から取り外すことができる。したがって、取り外し点の切り取りエッジが乳児と接触しないようにできる。このために、プラグは、飲用口の内部周面に接続し得る。
【００２７】
他の態様によれば、瓶乳首は、シリコーンまたは熱可塑性エラストマー、あるいは射出成形可能なその他の樹脂により作られる。好ましい態様によれば、瓶乳首は射出成形される。
【００２８】
しかしながら、一般に、ラテックスの瓶乳首をディッピングプロセスで製造することも可能である。リップバルブは必要に応じてその後にカットされ得る。リップバルブの開口圧力は本発明により調節可能である。
【００２９】
さらに、本発明は、固定リングにより瓶に取り付けられた本発明に係る乳頭を備えた哺乳瓶に関する。固定リングは円筒状カバーに固定手段を有し、該固定手段は瓶の固定手段と協働して固定リングを瓶に取り外し可能に固定する。固定リングのリングフランジが乳頭フランジ上の乳頭スリーブ周囲の領域を占める。乳頭フランジは、瓶の固定縁と固定リングのリングフランジとの間にクランプされる。
【００３０】
本願における「上」および「下」の用語は、乳頭が上に配置され且つ瓶の底が下に配置される、垂直に立てられた瓶の固定縁の上の瓶乳首の配置に基づく。
本発明は、実施形態を例示する添付の図面を参照して以下により詳細に説明される。図面は次の事項を示す。
【図面の簡単な説明】
【００３１】
【図１】（ａ）は乳頭フランジにリップバルブをもつ乳頭乳首のリップバルブの未変形状態における縦断面、（ｂ）は開口リップバルブをもつ乳頭フランジの下からの部分断面、（ｃ）は開口リップバルブの下からのアングルの詳細な拡大斜視図、（ｄ）は未変形状態における乳頭乳首の側面図、（ｅ）は閉状態のリップバルブをもつ瓶乳首の同側面図。
【図２】固定リングにより瓶の固定縁に固定された同瓶乳首のリップバルブの縦断面図。
【図３】乳頭フランジの凸部と乳頭フランジにおいてその上に配置された開状態のリップバルブとをもつ瓶乳首を示し、（ａ）はリップバルブの縦断面、（ｂ）は（ｃ）からの部分正面図および（ｃ）は拡大詳細図。
【図４】乳頭スリーブのリップバルブおよび隣接ビードをもつ瓶乳首を示し、（ａ）は斜視図、（ｂ）は正面図、および（ｃ）はリップバルブの縦断面図。
【図５】リップバルブおよび開封証明封止をもつ瓶乳首の側面図。
【発明を実施するための形態】
【００３２】
以下の異なる例示的形態の説明において、対応するまたは実質的に対応する要素は同じ参照符号をもって示される。
図１によると、瓶乳首１は、最大径部３から上に向かって先細りのふいご状乳頭スリーブ２を有する。上部において、乳頭スリーブ２は、乳頭首部５および乳頭頭部６を有する乳頭４を備えている。一方の側において、乳頭頭部７は、瓶乳首１．１の中心軸５に対しある角度の通気口９を備える。反対側には、少なくとも１つの飲用口１０を有する。
【００３３】
下部において、乳頭スリーブ２は縮径部１１を有する。縮径部１１の下縁において、乳頭スリーブ２は、中心軸８を同心状に取り囲んで放射状に外側へ延伸する乳頭フランジ１２．１へ接続する。この乳頭フランジ１２．１は、実質的に平坦であるが、その外周部分には下方突出凸部１３．１を有する。さらに、乳頭フランジ１２は、外縁に周囲縦突出縁ビード１４を有する。凸部１３の最下点において、乳頭フランジ１２．１は、下方突出リップバルブ１５を有する。
【００３４】
図１（ｂ）によれば、乳頭フランジ１２．１は、バルブ１５のリップの領域で内方へ延びている。
図１（ｃ）によれば、リップバルブ１５．１は、２つの平坦側壁１６，１７をもつ実質的漏斗形である。側壁１６，１７の下縁が、リップバルブ１５のリップ１８，１９を形成する。瓶乳首１．１は、リップバルブが未変形状態で開くように製造される。レンズ形バルブ開口２０がリップ１８，１９の間にある。リップ１８，１９は、乳頭フランジ１２で半径方向に配置される。瓶乳首１．１が図１（ｄ）に示されている。
リップバルブ１５．１の上方に、乳頭スリーブ２は、半径方向内方への凹部２１を有する。
乳頭フランジ１２．１の凸部１３が平坦である場合、リップ１８，１９が互いに接してバブル開口２０を閉じるように、バルブ１５．１のリップに作用する。これが図１（ｅ）に示されている。
【００３５】
図２によれば、瓶乳首１．１は、固定リング２３により瓶２２へ取り付けられる。固定リング２３を瓶２２にねじ込むことができるように、概略円筒状のカバー２４の内周に固定リング２３は内部ねじ２５を有し且つネック部２６の外周に瓶２２は外部ねじ２７を有する。固定リング２３の上縁から内方へ突出するのが、実質的に円環板状のリングフランジ２６である。
瓶乳首１．１の乳頭スリーブ２は、固定リング２３の中央開口２８を通って延伸し、乳頭フランジ１２．１の上側面の上に直接リングフランジ２８が位置する。瓶乳首１．１が固定リング２３によりねじ止めされると、乳頭フランジ１２．１の下側が、瓶２２の開口３０の周囲を巡っている瓶２２の固定縁２９に対し押し付けられる。これが凸部１３を平坦に押圧し、開口２８内に入るリップバルブ１５．１が閉じる。
瓶乳首１．１が吸われると、瓶２２内に負圧が発生する。負圧がリップバルブ１５の開口圧力以上になると、固定リング２３と乳頭フランジ１２．１の上側との間の隙間を通って空気が流れる。これにより、瓶乳首１．１がつぶれず、子供が過度の吸い込みをせずに済む。
【００３６】
図３の瓶乳首１．２は、瓶乳首１．１とは異なり、乳頭バルブ１５．２が、凸部１３の上の乳頭スリーブ２に配置されている。リップバルブ１５．２は、乳頭スリーブ２の最大径部の領域に配置される。この設計において、下部リップ１８は、乳頭スリーブ２の内側で乳頭フランジ１２．１に対して半径方向に配置されたバー３１により安定させられる。バー３１は、下側壁１６の内側および乳頭スリーブ２の隣接領域に接続する。バー３１は、乳頭フランジ１２．１に対して縦方向に配置される。リップ１８，１９は、横方向へ乳頭フランジ１２．１に対して平行に配置される。
【００３７】
リップバルブ１５．２は、乳頭スリーブ２の最大径部の領域に漏斗形凹部を形成する。
瓶乳首１．２がつぶれていない状態で、リップ１８，１９は開く。これが図３（ｃ）に示されている。瓶乳首１．２が、図２の瓶乳首１．１同様に固定リング２３によって瓶２２へ固定されると、凸部１３が平坦に押圧される。この瓶乳首１．２の変形がリップ１５．２に作用し、リップ１８，１９が所定の表面圧力で互いに押し付けられる。したがって、瓶１２内が所定の負圧を越えるときに、圧力が周囲環境と平衡化される。
【００３８】
図４の瓶乳首１．３は、瓶乳首１．２と異なり、特に、乳頭フランジ１２．２が未変形状態における凸部をもたない。リップバルブ１５．２の漏斗形開口の下縁にビード３２がある。例えば、ビード３２は三日月形である。また、乳頭４．２は、ドーム型端部を有するコーン形である。
瓶乳首１．３に備えられたリップバルブ１５．２は、未変形状態において開く。瓶乳首１．３が固定リング２３により瓶２２へ取り付けられると、固定リング２３のリングフランジ２６がビード３２に圧力をかける。リップバルブ１５．２はそれにより変形し、リップ１８，１９が所定表面圧力で互いに当接して開口２０が閉じられる。
瓶１．３内が所定の負圧を越えると、リップバルブ１５．２が開き、圧力が平衡化される。
【００３９】
図５の瓶乳首１．４は、図１の瓶乳首と異なり、リップバルブ１５が、乳頭フランジ１２．１で９０°オフセットしている。
さらに、飲用口１０は、乳頭５と同じ材料で１パーツとして形成されたプラグ３３により封止されている。プラグ３３は、瓶乳首１．４と一体形成される。プラグ３３は、飲用口１０の縁で乳頭の壁と接続する。プラグ３３はハンドル３４を有する。ハンドル３４は、プラグ３３をひねり取って飲用口１０を開くことを簡単にできるようにする。
【図１】
2012183311.tif 000003
【図２】
2012183311.tif 000004
【図３】
2012183311.tif 000005
【図４】
2012183311.tif 000006
【図５】
2012183311.tif 000007
【外国語明細書】
Bottle teat
The invention relates to a bottle teat, especially for infants and small
children.
Bottle teats are used to administer milk and other liquid nutrition,
especially to infants and small children. Bottle teats have a hollow nipple with
a through-hole for liquid nutrition. The nipple is connected at the bottom as a
single part to a hollow nipple sleeve. At the bottom, the nipple sleeve has an
annular nipple flange. The cross-section of the nipple is tailored to the mouth
of a child. In the area of the nipple sleeve, the cross-section expands toward
the nipple flange to the cross-section of a fastening edge of a bottle. The
nipple is fastened by means of a fastening ring to the fastening edge of the
bottle. The fastening ring has a cylindrical cover with fastening means to be
fastened to the fastening means of a bottle. Frequently, the fastening means
are threads on the inner circumference of the cover and on the outer cover of
the bottle. Furthermore, the fastening ring has a downward-projecting,
annular-disc-shaped ring flange that overlaps the nipple flange and presses
against the fastening edge of the bottle. In response to suction, a vacuum
arises in the bottle that makes it difficult to withdraw the liquid. The bottle
teat can collapse from the vacuum, causing the nipple to slip into the bottle.
To prevent this, bottle teats have a ventilation valve. The ventilation valve
opens when a certain vacuum predominates in the bottle. This causes the
pressure to adjust to the surroundings. 
DE 197 39 911 C5 describes a bottle teat of the aforementioned type and
the fastening of the bottle teat by means of a threaded ring to a bottle. With
this bottle teat, the ventilation valve is a slot valve that is arranged in a
recess in a side of the sleeve.
WO 2009/087077 A1 describes a bottle teat having a plurality of drinking
slits that are arranged in the sides of an imaginary polygon. The vent valve of
this bottle teat is a slot valve arranged in a recess. The bottle teat is made
of a soft elastic material. According to one embodiment, this is natural
rubber, or silicone, or a thermoplastic elastomer (TPE). The bottle teat can
for example be made by dipping a molded body in a latex suspension, or by
injection molding and subsequently incorporating the slots by means of knives.
DE 299 06 849 U1 describes another bottle teat having a ventilation
valve in a recess in the side of the sleeve. The recess has substantially flat,
opposing sidewalls that are connected to each other in the base of a recess across
a narrow section in the wall. After the section is opened by means of a
screwdriver, fork, etc., the side walls can be pressed against each other by
the liquid in the bottle. 
The known bottle slot valves are difficult to produce since they have to
be provided with a slot in an additional production step. An additional
disadvantage is that the sealing lips delimited by the slot only rest against
each other with a slight amount of pressure; consequently, the lip valve opens
when a vacuum is applied that can be less than the vacuum exerted by a child
while nursing.
Furthermore, nipple teats are known with a ventilation valve between the
nipple flange and threaded ring. DE 10 2005 006 768 A1 discloses such a bottle
teat that, in the nipple flange, has a valve opening that narrows toward the
ring flange of the threaded ring. On the top side, the nipple flange has an
annular elevation which engages in a groove in a peripheral, bottom base
surface of the threaded ring. In the outer side, the nipple sleeve has a recess
that extends to the nipple flange and forms a ventilation channel. The outer
edge area of the nipple flange is clamped between the fastening edge and ring
flange. Provided that a vacuum predominates in the bottle, the inner part of
the nipple flange can move downward, causing the elevation to move away from
the base of the groove. Consequently, the pressure can be equalized through the
ventilation channel, the gap between the ring flange and nipple flange, and the
valve opening. 
This design is complicated to produce and difficult to clean. In
addition, an axial force acting on the bottle teat can open the ventilation
valve which prevents a vacuum from building in the bottle.
A similar design is known from US 2007/0102388. 
Nipple teats with lip valves in the bottom side of a nipple flange are
known from US 2005/0252875 A1, WO 2006/103379 A1, DE 202 04 357 U1 and US
2003/0106872 A1. These bottle teats are produced in an injection molding
procedure. For production reasons, the sealing lips lie against each other
without initial tension so that they can be easily opened by a vacuum. The
pressure is equalized when the valve is opened through a gap between the top
side of the nipple flange and the bottom side of the ring flange. When liquid
lies against the side surfaces of the ventilation valve, they are pressed
together and the liquid is prevented from exiting. The two last-cited documents
describe bottled teats in which the lip valve is integrated in the wall of the
nipple flange.
Against this background, the object of the invention is to create a
bottle teat that is easy to produce and enables the opening pressure of the
ventilation valve to be specified.
The object is solved through a nipple teat with the characteristics of
claim 1. Advantageous embodiments of the nipple teat are cited in the dependent
claims.
The nipple teat according to the invention, especially for infants and
small children, has: 
・A nipple sleeve having a hollow nipple with at
least one through-hole for liquid nutrition that is connected at the bottom to
a hollow nipple sleeve which is connected at the bottom to a substantially
annular disc-shaped nipple flange to be fastened to the fastening edge of a
bottle by means of a fastening ring with a cylindrical cover by means of
fastening means to be fastened to additional fastening means of the bottle and
an annular disc-shaped ring flange overlapping the nipple flange,
・A contact area projecting downward or upward
from the nipple flange, or from the nipple sleeve above the nipple flange
outward into the area for placing a ring flange, and 
・A lip valve that is opened when the nipple
flange is not fastened to a bottle by means of a fastening ring, and that is
arranged in the nipple flange or the nipple sleeve in a deforming area next to
the contact area so that, when the nipple flange is fastened by means of the
fastening ring to a bottle, the deformation of the deforming area that arises
from pressing the fastening ring against the contact area closes the valve.
The bottle teat according to the invention has a lip valve that is
arranged in the nipple flange or the nipple sleeve. The bottle teat is
manufactured in such a manner that the lip valve is open. The lip valve is
arranged in a deforming area next to a contact area of the bottle teat. The
contact area projects downward or upward from the nipple flange, or outward
from the nipple sleeve above the nipple flange. It is hence deformed by the
fastening ring particularly when the bottle teat is fastened to a bottle. The
deformation of the contact area affects the neighboring deforming area of the
bottle teat in which the lip valve is arranged. The deformation of the deforming
area closes the lip valve. The level of pressure between the sealing lips can
be controlled by the design of the deforming area and the lip valve. It is
accordingly possible to achieve a specific opening pressure. The nipple teat
can be designed such that the opening pressure is independent of an axial force
acting on the nipple teat. The nipple teat with the open lip valve can be
easily manufactured by injection molding. The drinking slit does not have to be
subsequently incorporated. The open lip valve makes it easier to completely
clean the bottle teat after use.
According to one embodiment, the lip valve is arranged in the nipple
flange at a distance from the outer edge of the nipple flange. The nipple
flange can be affixed to the outer edge between the fastening edge and ring
flange. The lip valve faces the opening in the bottle. The surrounding air can
flow through a gap between the fastening ring and bottle teat to adjust the
pressure.
According to another embodiment, the lip valve projects from the bottom
side of the nipple flange. The lip valve can engage in the opening of the
bottle.
According to another embodiment, the contact area is a bulge in the
undeformed nipple flange in which the lip valve is arranged which is pressed
flat between the fastening edge and ring flange when the nipple flange is
mounted by means of a fastening ring on the bottle. The bottle teat is
manufactured with an open lip valve in the area of the bulge. When the bulge is
pressed flat, the lips of the lip valve lie against each other in a seal. The
opening pressure can be controlled by the design of the bulge and the lip
valve. 
According to another embodiment, the nipple sleeve has an indentation
that is above the lip valve and extends radially toward the nipple flange. The
indentation makes it easier to produce the bottle teat with the lip valve in
the nipple flange by means of a simple injection mold, the parts of which can
be pulled apart perpendicular to a single parting plane. In addition, the
indentation can serve to supply surrounding air to the lip valve.
According to another embodiment, the lip valve is arranged in the nipple
sleeve and is the contact area of a bulge in the undeformed nipple flange below
the lip valve which is pressed flat between the fastening edge and ring flange
when the nipple flange is mounted by means of a fastening ring to a bottle.
This bottle teat is also manufactured with a bulge in the undeformed nipple
flange and with an open lip valve. However, the nipple valve is not arranged in
the nipple flange but rather above the nipple flange in the nipple sleeve. When
the nipple flange is clamped between the fastening edge and ring flange, the
bulge is pressed flat, and this and this deformation closes the lip valve. The
pressure between the lips of the lip valve depends on the design of the bulge
and the lip valve and can be controlled thereby. To equalize the pressure, the
surrounding air can flow into the lip valve directly from the side of the
nipple sleeve. 
According to another embodiment, the bulge in the undeformed nipple
flange points downward. When the lip valve projects from the bottom side of the
bulge with lips pointing radially toward the nipple flange, the lips are closed
as the bulge is pressed flat. When the lip valve in the nipple sleeve is
arranged with lips parallel to the nipple flange, the lops are also closed as
the bulge is pressed flat.
According to another embodiment, the lip valve is arranged in the nipple
sleeve, and the contact area is an outward-projecting bead in the nipple sleeve
that is next to the lip valve and is arranged in the area assumed by the ring
flange of the threaded ring when the threaded ring fixes the nipple flange to a
bottle. This bottle teat is also manufactured with an open lip valve. When the
bottle teat is fixed to the bottle by means of the fastening ring, the
fastening ring presses against the outward-projecting bead. This causes the
sealing lips of the lip valve to close. With a given fastening ring, the
pressure between the sealing lips and the opening pressure can be controlled by
the design of the bead. 
According to an embodiment of the bottle teat that has a lip valve in
the nipple sleeve, the lip valve is arranged radially in the nipple sleeve with
reference to the nipple flange. With this embodiment, the lip valve is arranged
in the nipple and does therefore not disturb during use.
According to another embodiment, the nipple sleeve has a constriction
above the nipple flange. The constriction allows the fastening ring to be
undetachably preinstalled on the bottle nipple and thereby makes handling
easier. In addition, the nipple sleeve at least partially covers the fastening
ring which creates a large, soft contact area for the mouth and chin of a
child. 
According to another embodiment, the lip valve is arranged above the
constriction in an area above the nipple sleeve with a larger diameter. In this
position, the lip valve does not impair the attachment of the bottle teat to
the bottle by means of the fastening ring. Furthermore, the lip valve is
distant from the contact area of the child's mouth and chin so that the
equalization of pressure is unrestricted.
According to a preferred embodiment, the lip valve is arranged in the
area of the nipple sleeve having the maximum diameter.
According to one embodiment, the bottle teat has a plug that projects
from the through-hole for liquid nutrition, or the drinking hole. The plug is
preferably designed as a single part with the nipple. The plug preferably
consists of the same material as the nipple. It is also preferable for the plug
to be integrally manufactured with the entire bottle teat. The bottle teat
including the plug preferably consists of silicone or a thermoplastic
elastomer, or a plastic that can be injection molded. The drinking hole is
reliably sealed by the plug until first use. The plug forms a tamper-evident
closure that the user can remove directly before use to expose the drinking
hole. In addition, injection molding simplifies production since an injection
mold does not require needles to delimit a drinking hole, which eliminates in
particular the effort needed to service the mold that this causes. 
According to one embodiment, the plug has a small handle. The handle
makes it easier to remove the plug from the nipple, especially by twisting the
plug out of the nipple.
According to another embodiment, the plug has a weakened area of
material. The plug can be specifically separated along the weakened area of
material. It is also preferable for the weakened area of material to be
arranged inside the drinking hole. This makes it possible to disconnect the
plug from the bottom nipple below the outer surface of the bottle nipple. The
break edges of the disconnecting point therefore do not come into contact with
the infant. To this end, the plug can be connected to the inner perimeter of
the drinking hole.
According to another embodiment, the bottle teat is made of silicone or
a thermoplastic elastomer, or another plastic that can be injection molded.
According to a preferred embodiment, the bottle teat is injection molded.
However, it is generally possible to manufacture the bottle teat of
latex in a dipping process. The lip valve can be subsequently cut if necessary.
The opening pressure of the lip valve can be controlled by means of the
invention. 
Furthermore, the invention relates to a baby bottle with a nipple
according to the invention that is mounted on a bottle by means of a fastening
ring, wherein the fastening ring has fastening means on a cylindrical cover
that interact with additional fastening means of the bottle to releasably
fasten the fastening ring to the bottle, a ring flange of the fastening ring
assumes an area around the nipple sleeve above the nipple flange, and the
nipple flange is clamped between the fastening edge of the bottle and the ring
flange of the fastening ring.  
The designations "top" and "bottom" in this
application refer to an arrangement of the the bottle teat on the top of the fastening
edge of a vertically aligned bottle, whereas the nipple is arranged at the top,
and the base of the bottle is arranged at the bottom.
The invention is explained in more detail hereinafter with reference to
the accompanying drawings of exemplary embodiments. The drawings show the
following:
Fig. 1a-e                      A
vertical section of the lip valve of a nipple teat with a lip valve in a nipple
flange in an undeformed state (Fig. 1a), a partial section from below of the
nipple flange with an open lip valve (Fig. 1b), an enlarged perspective,
detailed view of the open lip valve at an angle from below (Fig. 1c), a side
view of the nipple teat in an undeformed state (Fig. 1d), and the same side
view of the bottle teat with the lip valve in a closed state (Fig. 1e);
Fig. 2                           A
vertical section of the lip valve of the same bottle teat fastened by means of
a fastening ring to a fastening edge of a bottle;
Fig. 3a-c                      A
bottle teat with a bulge in the nipple flange and a lip valve arranged
thereabove in the nipple sleeve in an open state with a vertical section of the
lip valve (Fig. 3a), a partial front view (Fig. 3b) and with an enlarged detail
c from Fig. 3a (Fig. 3c);
Fig. 4a-c                      
A bottle teat with a lip valve in a nipple sleeve and a neighboring bead with a
perspective view (Fig. 4a), a front view (Fig. 4b) and a vertical section of
the lip valve (Fig. 4c);
Fig. 5                           A
side view of a bottle teat having a lip valve and tamper-evidence closure.
In the following explanation of different exemplary embodiments, the
corresponding, or substantially corresponding, elements are provided with the
same reference numbers. 
According to Fig. 1, a bottle teat 1 has a bellows-like nipple sleeve 2
that narrows upward from the largest diameter 3. At the top, the nipple sleeve
2 bears a nipple 4 that has a nipple neck 5 and a nipple head 6. In one side,
the nipple head 7 is provided with a vent 9 at an angle to the mid-axis 5 of
the bottle teat 1.1. It has at least one drinking hole 10 on the opposite side.
At the bottom, the nipple sleeve 2 has a constriction 11. At the bottom
end of the constriction 11, the nipple sleeve 2 is connected to a nipple flange
12.1 projecting radially outward that concentrically surrounds the mid-axis 8.
The nipple flange 12.1 is substantially flat but has a downward-projecting
bulge 13.1 in a section of its perimeter. In addition, the nipple flange 12 has
a peripheral, vertically projecting edge bead 14 on the outer edge. At the
lowest point of its bulge 13, the nipple flange 12.1 has a downward projecting
lip valve 15.
According to Fig. 1b, the nipple flange 12.1 extends inward in the area
of the lip of valve 15. 
According to Fig. 1c, the lip valve 15.1 is substantially funnel-shaped
with two flat sidewalls 16, 17. The bottom edge of the sidewalls 16,17 forms
lips 18, 19 of the lip valve 15. The bottle teat 1.1 is manufactured in such a
manner that the lip valve is open in an undeformed state. A lens-shaped valve
opening 20 is between the lips 18, 19. The lips 18, 19 are aligned radially to
the nipple flange 12. Bottle teat 1.1 is shown in Fig. 1d.
Above the lip valve 15.1, the nipple sleeve 2 has an indentation 21
pointing radially inward. 
When the bulge 13 of the nipple flange 12.1 is flattened, it affects the
lip of valve 15.1 such that the lips 18, 19 abut each other and close the valve
opening 20. This is shown in Fig. 1e.
According to Fig. 2, the bottle teat 1.1 is affixed to a bottle 22 by
means of a fastening ring 23. On the inner perimeter of its approximately
cylindrical cover 24, the fastening ring 23 has an inner thread 25, and on the
outer perimeter of its neck 26, the bottle 22 has an outer thread 27 so that
the fastening ring 23 can be screwed onto the bottle 22. Projecting inward from
the top edge of the fastening ring 23 is a ring flange 26 that is substantially
shaped like an annular disc.
The nipple sleeve 2 of the bottle teat 1.1 extends through a central
opening 28 of the fastening ring 23 to place the ring flange 28 directly above
the top side of the nipple flange 12.1. When the bottle teat 1.1 is screwed
tight by means of the fastening ring 23, the bottom side of the nipple flange
12.1 is pressed against the fastening edge 29 of the bottle 22 that runs around
the opening 30 of the bottle 22. This presses the bulge 13 flat, and the lip
valve 15.1 engaging in the opening 28 closes.
When suction is applied to the bottle teat 1.1, a vacuum arises in the
bottle 22. When the vacuum exceeds the opening pressure of the lip valve 15,
air flows through the gap between the fastening ring 23 and the top side of the
nipple flange 12.1. This prevents the bottle teat 1.1 from collapsing and keeps
the child from having to exert excessive suction.
The bottle teat 1.2 in Fig. 3 differs from bottle teat 1.1 in that the
nipple valve 15.2 is arranged in the nipple sleeve 2 above the bulge 13. The
lip valve 15.2 is arranged in the area of the maximum diameter of the nipples
leave 2. In this design, the bottom lip 18 is stabilized by a bar 31 that is
arranged radially with reference to the nipple flange 12.1 on the inside of the
nipple sleeve 2. The bar 31 is connected to the inside of the bottom side wall
16 and the neighboring area of the nipple sleeve 2. It is arranged vertically
with reference to the nipple flange 12.1. The lips 18, 19 are aligned
horizontally and parallel to the nipple flange 12.1. 
The lip valve 15.2 forms a funnel-shaped recess in the area of the
maximum outer diameter of the nipple sleeve 2.
When the bottle teat 1.2 is in an undeformed state, the lips 18, 19 are
open. This is shown in Fig. 3c. When bottle teat 1.2 is fixed like bottle teat
1.1 in Fig. 2 to a bottle 22 by means of a fastening ring 23, the bulge 13 is
pressed flat. This deformation of the bottle teat 1.2 acts on the lip valve
15.2 in such a manner that the lips 18, 19 are pressed together with a specific
surface pressure. Consequently, the pressure is equalized with the surroundings
when a specific vacuum is exceeded in the bottle 12.
The bottle teat 1.3 in Fig. 4 differs from bottle teat 1.2 especially in
that the nipple flange 12.2 does not have a bulge in an undeformed state. A
bead 32 is in the bottom edge of the funnel-shaped opening of the lip valve
15.2. In the example, the bead 32 is in the shape of a crescent. In addition,
the nipple 4.2 is cone-shaped with a dome-shaped end.
With bottle teat 1.3, the lip valve 15.2 is open in an undeformed state.
When bottle teat 1.3 is attached to a bottle 22 by means of a fastening ring
23, the ring flange 26 of the fastening ring 23 presses against the bead 32.
The lip valve 15.2 is thereby deformed such that the lips 18, 19 contact each
other with a specific surface pressure, and the opening 20 is closed. 
When a specific vacuum in the bottle 1.3 is exceeded, the lip valve 15.2
opens, and the pressure is equalized. 
The bottle teat 1.4 in Fig. 5 differs from the bottle teat in Fig. 1 in
that the lip valve 15 is offset 90° on the nipple flange 12.1.
Furthermore, the drinking hole 10 is sealed by a plug 33 formed as a
single part with and from the same material as the nipple 5. The plug 33 is
integrally formed with the entire bottle teat 1.4. The plug 33 is connected to
the wall of the nipple at the edge of the drinking hole 10. It has a handle 34.
The handle 34 makes it easier to twist off the plug 33 to open the drinking
hole 10.
1.A bottle teat, in particular for
infants and small children, comprising:
・A nipple sleeve
having a hollow nipple (4) with at least one through-hole (10) for liquid
nutrition that is connected at the bottom to a hollow nipple sleeve (2) which
is connected at the bottom to a substantially annular disc-shaped nipple flange
(12) that is connected to the nipple sleeve (2) to be fastened to the fastening
edge (29) of a bottle (22) by means of a fastening ring (23) which serves at
the bottom with an annular disc-shaped ring flange (26) overlapping the nipple
flange (12), 
・A contact area
(13, 31) projecting from the nipple flange (12) downward or upward or outward
from the nipple sleeve (2) above the nipple flange (12) into the area for
placing the ring flange (26), and 
・A lip valve (15)
that is open when the nipple flange (12) is not fastened to a bottle (22) and
is arranged in a deforming area next to the contact area (13, 31) so that, when
the nipple flange (12) is attached to a bottle (22) by means of a fastening
ring (23), the deformation of the nipple flange (12) and/or the nipple sleeve
(2) caused by the pressure of the fastening ring (23) against the contact area
(13, 31) closes the lip valve (15).
2.The bottle teat
according to claim 1, wherein the lip valve (25) is arranged in the nipple
flange (12) at a distance from the outer edge of the nipple flange (12).
3.The bottle teat
according to claim 1 or 2, wherein the lip valve (15) projects from the bottom
of the nipple flange (12). 
4.The bottle teat
according to claim 2 or 3, wherein the contact area (13) is a bulge of the
deformed nipple flange (12) in which the lip valve (15.1) is arranged that is
pressed flat between the fastening edge (29) and the ring flange (26) when the
nipple flange (12) is attached to a bottle (22) by means of a fastening ring
(23).
5.The bottle teat
according to one of claims 1 to 4, wherein the nipple sleeve (2) has an
indentation (21) above the lip valve (15) that points radially toward the
nipple flange (12).
6.The bottle teat
according to claim 1, wherein the lip valve (15) is arranged in the nipples
sleeve (2) and the contact area (13) is a bulge of the deformed nipple flange
(12) below the lip of valve (15.2) that is pressed flat between the fastening
edge (29) and the ring flange (26) when the nipple flange (12) is attached to a
bottle (22) by means of a fastening ring (23).
7.The bottle teat
according to one of claims 4 to 6, wherein the bulge (13) points
downward.
8.The bottle teat
according to claim 1, wherein the lip valve (15) is arranged in the nipple
sleeve (2), and the contact area (31) is an outward-projecting bead of the
nipple sleeve (2) next to the lip valve that is arranged in the area assumed by
the ring flange (26) of the fastening ring (23) when the fastening ring (23)
fixes the nipple flange (12) to a bottle (22).
9.The bottle teat
according to one of claims 6 to 8, wherein the lip valve (15.2)
extends radially into the nipple sleeve (2) with reference to the nipple flange
(12).
10.The bottle teat
according to one of claims 1 to 9, wherein the nipple sleeve (2) has a
constriction (11) above the nipple flange.
11.The bottle teat
according to claim 10, wherein the lip valve (15.2) is arranged in an area of
the nipple sleeve (2) with a larger diameter above the constriction (11).
12.The bottle teat
according to claim 11, wherein the lip valve (15.2) is arranged in the area of
the nipple sleeve (2) with the maximum diameter (3).
13.The bottle teat
according to one of claims 1 to 12 that has a plug (33) which seals the
drinking hole (10).
14.The bottle teat
according to claim 13, wherein the plug (10) is designed as a single part with
and from the same material as the remaining bottle teat.
15.The bottle teat
according to one of claims 1 to 14 that is made of silicone or a thermoplastic
elastomer, or another plastic that can be injection molded.
16.The bottle teat
according to one of claims 1 to 15 which is injection-molded.
17.The bottle teat
having a nipple (1) according to one of claims 1 to 16 that is attached to a
bottle (22) by means of a fastening ring (23), wherein the fastening ring (23)
has fastening means and the bottle (22) has additional fastening means that are
connected to each other to fasten the bottle teat (1) to the bottle (22), the
ring flange (26) of the fastening ring (23) assumes an area around the nipple
sleeve (2) above the nipple flange (12), and the nipple flange (12) is clamped
between the fastening edge (29) of the bottle (22) and the ring flange (26) of
the fastening ring (23). 
1.Abstract
A bottle teat, in particular for infants and small children, comprising:
・A nipple sleeve
having a hollow nipple with at least one through-hole for liquid nutrition that
is connected at the bottom to a hollow nipple sleeve which is connected at the
bottom to a substantially annular disc-shaped nipple flange that is connected
to the nipple sleeve to be fastened to the fastening edge of a bottle by means
of a fastening ring which serves at the bottom with an annular disc-shaped ring
flange overlapping the nipple flange, 
・A contact area
projecting downward or upward from the nipple flange, or from the nipple sleeve
above the nipple flange outward into the area for placing a ring flange, and 
・A lip valve that
is opened when the nipple flange is not fastened to a bottle and that is
arranged in a deforming area next to the contact area so that, when the nipple
flange is fastened by means of a fastening ring to a bottle, the deformation of
the nipple flange and/or nipple sleeve that arises from pressing the fastening
ring against the contact area closes the valve.
2．Representaive Drawing
Fig.1
【ＦＩＧ．１】
2012183311.tif 000008
【ＦＩＧ．１ｄ】
2012183311.tif 000009
【ＦＩＧ．１ｅ】
2012183311.tif 000010
【ＦＩＧ．２】
2012183311.tif 000011
【ＦＩＧ．３】
2012183311.tif 000012
【ＦＩＧ．４ａ】
2012183311.tif 000013
【ＦＩＧ．４ｂ】
2012183311.tif 000014
【ＦＩＧ．４ｃ】
2012183311.tif 000015
【ＦＩＧ．５】
2012183311.tif 000016